(57)【特許請求の範囲】
【請求項１】
糖鎖部分に分枝構造を含む糖ペプチドの分析方法であって、
脱水縮合剤の存在下で、糖ペプチドのペプチド鎖および糖鎖に含まれる全てのカルボキシ基が除去または修飾され、カルボキシ基を含まない修飾糖ペプチドを得るステップ；および
前記修飾糖ペプチドを、負イオンモードのＭＳの２乗以上の多段階質量分析に供するステップを有し、
前記多段階質量分析において、修飾糖ペプチドの一次イオンをプリカーサイオンとして、糖鎖の分枝部分からその非還元末端の糖鎖構造に由来するフラグメントイオンを得て、
前記フラグメントイオンのｍ／ｚの値に基づいて、糖ペプチドの糖鎖の分枝構造を決定する、分析方法。
【請求項２】
前記糖ペプチドは、糖鎖部分にシアル酸を含む、請求項１に記載の分析方法。
【請求項３】
前記フラグメントイオンは、シアル酸が付加した糖鎖のフラグメントイオンを少なくとも１種含む、請求項２に記載の分析方法。
【請求項４】
前記糖ペプチドは、糖鎖部分に酸性官能基を有していないか、または糖鎖部分にカルボキシ基以外の酸性官能基を有していない、請求項１〜３のいずれか１項に記載の分析方法。
【請求項５】
脱水縮合剤の存在下での求核試薬との反応により、前記カルボキシ基の修飾がおこなわれる、請求項１〜４のいずれか１項に記載の分析方法。
【請求項６】
前記求核試薬が、アンモニウム、アミン、およびこれらのハロゲン化塩からなる群から選択される１以上である、請求項５に記載の分析方法。
【請求項７】
前記脱水縮合剤が、ホスホニウム塩である、請求項１〜６のいずれか１項に記載の分析方法。
【発明の詳細な説明】
【技術分野】
【０００１】
本発明は、質量分析装置を用いた糖ペプチドの分析方法に関する。
【背景技術】
【０００２】
ペプチド鎖への糖鎖付加は、翻訳後修飾の中で最も重要なプロセスの１つである。ペプチド鎖に糖鎖が付加した糖タンパク質は、様々な生命現象に関わっている。生体内では、糖鎖のわずかな構造の違いが精密に認識されることによって、細胞間のシグナル伝達や分子認識等が制御されていると考えられており、糖タンパク質や糖ペプチドの構造解析は、生命現象の解明や、創薬、バイオマーカー開発等に大きな貢献をもたらすことが期待される。
【０００３】
タンパク質やＤＮＡの構造解析においては、ＩＳＤ，ＣＩＤ、ＩＲＭＰＤ、ＥＣＤ、ＥＴＤ等のイオン開裂法を用いた多段階質量分析（ＭＳ／ＭＳ分析、またはｎが２以上のＭＳｎ分析）の応用が進んでおり、糖鎖の構造解析においても、多段階質量分析の応用が進んでいる。
【０００４】
タンパク質やＤＮＡでは、その構成素材であるアミノ酸や核酸塩基が所定位置で結合して一列に並んでいるのに対して、糖鎖では、構成素材である単糖のヒドロキシ基の全てがグリコシド結合に関与し得る。そのため、糖鎖は分枝構造を有する場合が多く、例えば、アスパラギン残基に結合したＮ‐結合型糖鎖は、少なくとも１か所の分枝を有している。したがって、糖鎖の構造解析では、分枝構造を同定し得る分析手法の開発が求められている。
【０００５】
また、Ｎ‐結合型糖鎖は、非還元末端にシアル酸を有することが多く、糖鎖の構造解析では、糖鎖中のシアル酸の数や、付加位置を同定することも重要である。しかしながら、ＭＡＬＤＩをイオン源とする糖鎖の質量分析においては、シアル酸の脱離が容易に起こるため、シアル酸が付加したままの一次イオンの生成量が小さい。さらに、シアル酸が付加したままの一次イオンをプリカーサイオンとしてＣＩＤ等によりイオン開裂を行うと、シアル酸の脱離が優先的に生じる。そのため、ＭＳ２分析では、シアル酸が付加した糖鎖フラグメントはほとんど観測されず、糖鎖中のシアル酸の数や付加位置を決定することは容易ではない。
【０００６】
特許文献１および特許文献２では、シアル酸のカルボキシ基をアミド化して、糖鎖の質量分析を行うことが提案されている。特許文献１では、シアル酸付加イオンをプリカーサイオンとしたＭＳ２スペクトルと、シアル酸脱離イオンをプリカーサイオンとしたＭＳ２スペクトルから、より詳細な糖鎖構造解析を行うことが提案されている。しかしながら、特許文献１では、分枝を有していない直線状のシアル酸含有糖鎖の分析が行われているのみであり、分枝糖鎖の構造解析は行われていない。また、特許文献２では、分枝を有するシアル酸含有糖鎖を質量分析により検出しているが、ＭＳ２による糖鎖の構造解析は行われていない。
【０００７】
さらに、特許文献１および特許文献２のいずれも、遊離糖鎖の分析が行われているのみであり、糖ペプチドの分析は行われていない。遊離糖鎖の分析は、糖鎖構造の解析が容易である反面、糖鎖の由来が明確ではない（例えば、夾雑物に由来する糖鎖を分析している可能性が否定できない）との問題がある。これに対して、糖ペプチド分析は、糖鎖の由来が明確である上に、ペプチド中の糖鎖の付加位置に関する情報も得られるため、付加部位ごとのヘテロな糖鎖構造解析が可能である。
【０００８】
例えば、非特許文献１では、正イオンＣＩＤによるＭＳｎ分析と負イオンＣＩＤによるＭＳｎ分析とを併用した糖ペプチド分析により、糖鎖構造を解析することが提案されている。しかしながら、非特許文献１では、０，２ＸイオンやＹイオン等のペプチド鎖部分を含むフラグメントイオンが大量に生成しているのに対して、糖鎖部分のフラグメントイオンの生成効率が極めて低い。また、糖鎖フラグメントとして得られているものは、２，４ＡＲ、２，４ＡＲ−１等のフラグメントが大半であり、シアル酸の結合位置や、糖鎖の分枝構造を反映するフラグメントは観測されていない。
【０００９】
一方、非特許文献２では、シアル酸含有糖ペプチドのカルボキシ基をピレン修飾してＭＳ２分析を行うことにより、シアル酸の２‐６結合と２‐３結合とを区別可能であり、当該手法をシアル酸の結合様式の解析に応用することが提案されている。非特許文献２ではシアル酸の結合様式の判別は可能であるが、ＭＳ２スペクトルにおいて、シアル酸が結合したままの糖鎖フラグメントは観測されていない。また、糖鎖の分枝構造を反映するフラグメントも観測されておらず、糖鎖の構造解析手法として十分であるとは言い難い。
【先行技術文献】
【特許文献】
【００１０】
【特許文献１】特開２００５−１４８０５４号公報
【特許文献２】特開２００９−１６２５３０号公報
【非特許文献】
【００１１】
【非特許文献１】Deguchi, K. et al.,  Rapid Commun. Mass Spectrom.,  vol. 20,  pp. 741‐746  （２００６年）
【非特許文献２】Nishikaze, T. et al.,  J. Chromatogr.,  vol. 879,  pp. 1419‐1428  （２０１１年）
【発明の概要】
【発明が解決しようとする課題】
【００１２】
上記のように、質量分析による糖ペプチドの解析では、遊離糖鎖の解析とは異なり、ペプチド鎖部分のフラグメントイオンが優先的に生じ、糖鎖部分由来のフラグメントの生成量が小さいため、糖鎖の構造解析が容易ではない。特に、Ｎ‐結合型糖鎖等の複雑な糖鎖構造を有する糖ペプチドでは、糖鎖の分枝構造を反映したフラグメントを得ることが困難である。また、シアル酸が付加した糖鎖は、質量分析のイオン化の際にシアル酸の脱離が優先的に生じるため、シアル酸が付加した糖鎖フラグメントイオンが得られ難い。
【００１３】
このように、ＭＳｎ分析による糖ペプチドの構造解析には、様々な課題が残されている。このような現状に鑑み、本発明は、複雑な糖鎖構造を有する糖ペプチドの解析にも応用し得る、糖ペプチドの分析方法の提供を目的とする。
【課題を解決するための手段】
【００１４】
本発明者は、糖ペプチドのＭＳ２分析において、糖鎖構造を反映したフラグメントイオンを得るためには、ペプチド鎖部分でのイオン化を抑制して、糖鎖部分で優先的にイオン化を起こすことが必要であると考え、種々の検討をおこなった。その結果、ペプチド鎖および糖鎖に含まれる全てのカルボキシ基を除去または修飾することにより、正イオンモードおよび負イオンモードの両方において、糖鎖構造を反映したフラグメントイオンの生成量および種類が増大し得ることを見出し、本発明に至った。
【００１５】
すなわち、本発明は、ＭＳの２乗以上の多段階質量分析に供するための糖ペプチド試料の調製方法、および当該方法により調製された試料を用いた糖ペプチドの質量分析方法に関する。本発明の糖ペプチド試料の調製方法は、糖ペプチドのペプチド鎖および糖鎖に含まれる全てのカルボキシ基が除去または修飾され、カルボキシ基を含まない修飾糖ペプチドを得ることを特徴とする。
【００１６】
ここで、「全てのカルボキシ基」とは、糖ペプチド１分子中の全てのカルボキシ基を意味しており、試料中の全ての糖ペプチド分子が、カルボキシ基を有していなことまでは要求されない。カルボキシ基が残存している糖ペプチドに由来する一次イオンは、全てのカルボキシ基が除去または修飾された分子に由来する一次イオンと質量電荷比（ｍ／ｚ）が異なる。そのため、一部のカルボキシ基が残存した糖ペプチドが存在する場合であっても、これらは、ＭＳ２分析のためのプリカーサイオン選別の段階で容易に離別できる。なお、後に詳述するように、脱水縮合剤および求核剤を適宜に選択することにより、カルボキシ基の修飾率が１００％に近づくため、ほぼ全ての糖ペプチドを、カルボキシ基を有していない修飾糖ペプチドとすることができる。
【００１７】
本発明に用いられる糖ペプチドは、糖鎖部分にシアル酸を含むものでもよい。また、糖ペプチドは、糖鎖部分に分枝構造を含むものでもよい。糖ペプチドは、糖鎖部分に酸性官能基を有していないか、またはカルボキシ基以外の酸性官能基を有していないことが好ましい。
【００１８】
本発明の質量分析用糖ペプチド試料の調製方法では、脱水縮合剤の存在下での求核試薬との反応により、カルボキシ基の修飾がおこなわれることが好ましい。脱水縮合剤としては、例えば、ＰｙＡＯＰ等のホスホニウム塩が好ましく用いられる。
【００１９】
本発明の糖ペプチドの分析方法では、上記により試料を調製するステップ、および当該試料をＭＳの２乗以上の多段階質量分析に供して複数種のフラグメントイオンを得るステップを有する。多段階質量分析測定は、正イオンモード、負イオンモードのいずれでもよい。正イオンモードは、糖鎖のシーケンスの構造解析等に適している。一方、負イオンモードは、糖鎖の分枝構造等の解析に適している。
【００２０】
糖ペプチドとして、糖鎖部分にシアル酸が付加した糖ペプチドが分析に供される場合、糖鎖部分にシアル酸が付加した糖ペプチドの一次イオンをプリカーサイオンとして、ＭＳｎ（ｎは２以上の整数）多段階質量分析が行われてもよい。この場合、正イオンモードでは、シアル酸が付加した糖ペプチドのフラグメントイオンが得られうる。一方、負イオンモードでは、シアル酸が付加した糖鎖のフラグメントイオンが得られうる。
【００２１】
なお、「ＭＳの２乗以上の多段階質量分析」とは、１段階目（ｎ＝１）で試料がイオン化され、２段階目（ｎ＝２）以降でイオンが開裂され、開裂されたイオン（フラグメントイオン）を検出する分析方法である。後に詳述するように、インソース開裂（ＩＳＤ）では、イオン化の際に、１段階でフラグメントイオンが生じる。本明細書においては、ＩＳＤのように、イオン化（ｎ＝１）と開裂（ｎ＝２）とが生じるものを２段階であるとみなし、ＩＳＤによるＭＳ１分析も「ＭＳの２乗の多段階質量分析」に含まれるものとみなす。ＩＳＤによるＭＳ１によって、イオン化（ｎ＝１）と開裂（ｎ＝２）が行われ、これによって生じたフラグメントイオンをプリカーサとして、さらにイオン開裂（ＭＳ２）を行う場合、ＩＳＤによるＭＳ１の時点で、一般的な質量分析（ポストソース開裂）によるＭＳ２と等価のフラグメントが得られていると解釈できる。そのため、ＩＳＤによるＭＳ１に引き続いてＭＳ２分析を行う方法は、擬似多段階質量分析（Ｐｓｅｕｄｏ−ＭＳｎ、ｎは３以上の整数）とも呼ぶことが出来る。本明細書では、このような擬似多段階質量分析も、「ＭＳの２乗以上の多段階質量分析」に含まれるものとみなす。
【発明の効果】
【００２２】
本発明によれば、ペプチド鎖および糖鎖に含まれる全てのカルボキシ基が除去または修飾された糖ペプチドを質量分析に供することにより、糖鎖構造を反映したフラグメントが、より効率的に得られる。さらに、負イオンＭＳ２スペクトルでは、糖鎖の分枝構造を反映するフラグメントも検出される様になるため、糖ペプチドイオンから、直接的に糖鎖部分の詳細な構造解析が可能となる。
【００２３】
また、糖鎖部分にシアル酸を含む糖ペプチドでは、シアル酸のカルボキシ基もペプチド鎖のカルボキシ基と同様に除去または誘導体化されるため、ＭＡＬＤＩによるイオン化やＣＩＤによる開裂の際のシアル酸の優先的な脱離が抑制される。したがって、糖鎖部分にシアル酸を含む糖ペプチドを、本発明の方法により調製し、多段階質量分析に供することで、シアル酸が付加した状態の糖鎖フラグメントイオン、特に分枝構造を反映するフラグメントイオンを得ることが可能となり、より詳細に糖ペプチドの構造解析が可能となる。
【図面の簡単な説明】
【００２４】
【図１Ａ】メチルアミド化されていないｄＳＧＰの正イオンＭＳ１スペクトルである。
【図１Ｂ】メチルアミド化後のｄＳＧＰの正イオンＭＳ１スペクトルである。
【図２】メチルアミド化後のｄＳＧＰのＭＳ２スペクトルである。（ａ）は正イオンモード、（ｂ）は負イオンモード。
【図３】メチルアミド化されていないｄＳＧＰのＭＳ２スペクトルである。（ａ）は正イオンモード、（ｂ）は負イオンモード。
【図４】メチルアミド化後のｄＳＧＰのＭＳ２スペクトルである。（ａ）は正イオンモード、（ｂ）は負イオンモード。（ｃ）は、環状ペプチドをプリカーサとして選択した負イオンモードＭＳ２スペクトルである。
【図５】メチルアミド化後のｄＳＧＰのＭＳ２スペクトルである。（ａ）は正イオンモード、（ｂ）は負イオンモード。
【図６】メチルアミド化後のトランスフェリンのトリプシン消化糖ペプチド（脱シアル酸処理）のＭＳ２スペクトルである。（ａ）は正イオンモード、（ｂ）は負イオンモード。
【図７】メチルアミド化されていないトランスフェリンのトリプシン消化糖ペプチド（脱シアル酸処理）のＭＳ２スペクトルである。（ａ）は正イオンモード、（ｂ）は負イオンモード。
【図８Ａ】メチルアミド化されていないＳＧＰの正イオンＭＳ１スペクトルである。
【図８Ｂ】メチルアミド化後のＳＧＰの正イオンＭＳ１スペクトルである。
【図９】メチルアミド化後のＳＧＰのＭＳ２スペクトルである。（ａ）は正イオンモード、（ｂ）は負イオンモード。
【図１０】メチルアミド化後のトランスフェリンのトリプシン消化糖ペプチドのＭＳ２スペクトルである。（ａ）は正イオンモード、（ｂ）は負イオンモード。
【発明を実施するための形態】
【００２５】
本発明の糖ペプチドの分析方法では、ペプチド鎖に含まれるカルボキシ基を除去または修飾する処理（試料調製）が行われた後、カルボキシ基を有していない試料が、ＭＳｎ分析に供される。
【００２６】
［試料の調製］
＜糖ペプチドの種類＞
本発明では、分析対象として、糖ペプチドが用いられる。糖ペプチドの種類は特に限定されない。特に、本発明の分析方法は、Ｎ‐結合型糖鎖のように、複雑な糖鎖構造を有する糖ペプチドの糖鎖の構造解析に有用である。一実施形態において、上記糖ペプチドは糖鎖部分にシアル酸を含む。また、一実施形態において、上記糖ペプチドは糖鎖部分が分枝構造を有している。
【００２７】
本発明では、ＭＳの２乗以上の多段階質量分析に供するために、糖ペプチド中の試料調製が行われる。本発明では、主に、糖ペプチドの糖鎖の構造解析を目的として、糖ペプチドの質量分析が行われる。糖ペプチドが複数の糖鎖を有していると、フラグメントイオンがいずれの糖鎖に由来するか不明確となる場合がある。そのため、本発明に用いられる糖ペプチドは糖鎖を１本のみ有するものが好ましい。例えば、複数の糖鎖を有する糖タンパク質では、プロテアーゼ消化等によってペプチド鎖を所定位置で切断し、目的とする糖鎖以外の糖鎖を含まない糖ペプチドを用いることが好ましい。また、ペプチド鎖のアミノ酸残基数が多いものは、プロテアーゼ消化等により、質量分析に適した長さにペプチド鎖を切断して用いることが好ましい。質量分析に適した長さとは、例えば、アミノ酸残基数が３０以下、好ましくは２０以下、より好ましくは１５以下である。一方、ペプチドの由来を明確とする観点から、ペプチド鎖のアミノ酸残基数は２以上が好ましく、３以上がより好ましい。
【００２８】
通常、プロテアーゼは、アミノ酸配列を認識し、特定の配列の特定の結合を選択的に切断する。プロテアーゼとしては、トリプシン（塩基性アミノ酸残基（ＡｒｇおよびＬｙｓ）のＣ末端側でペプチドを切断する）、Ｌｙｓ‐Ｃ（Ｌｙｓ残基のＣ末端側でペプチドを切断する）、アルギニンエンドペプチダーゼ（Ａｒｇ残基のＣ末端側でペプチドを切断する）、キモトリプシン（芳香族アミノ酸残基（Ｐｈｅ、ＴｙｒおよびＴｒｐ）のＣ末端側でペプチドを切断する）、ペプシン（芳香族残基（Ｐｈｅ、ＴｙｒおよびＴｒｐ）のＮ末端側でペプチドを切断する）等が用いられる。なお、プロテアーゼは２種以上を組み合わせて用いることもできる。また、サーモリシンやプロテイナーゼＫ，プロナーゼＥのような特異性の低いプロテアーゼを用いても良い。
【００２９】
プロテアーゼ消化の条件は特に限定されず、使用するプロテアーゼに応じた適宜のプロトコールが採用される。例えば、プロテアーゼの至適ｐＨ近傍に調製された緩衝溶液中で、通常３７℃程度の温度で、４時間〜２０時間程度インキュベートすることが好ましい。プロテアーゼ消化に先だって、試料中のタンパク質およびペプチドの変性処理やアルキル化処理が行われてもよい。変性処理やアルキル化処理の条件は特に限定されず、公知の条件が適宜に採用される。
【００３０】
後に詳述するように、本発明では、イオン化されやすいカルボキシ基を除去または修飾することにより、質量分析において、ペプチド鎖や糖鎖のシアル酸が優先的にイオン化されることが抑止され、従来の方法では観測が困難であった糖鎖部分由来のフラグメントイオンが観測される。糖ペプチドの糖鎖部分に、カルボキシ基以外のイオン化されやすい官能基が含まれている場合は、当該官能基のイオン化が優先的に生じ得るため、ＭＳ２分析において、糖鎖構造を反映したフラグメントの種類や生成量が減少する傾向がある。
【００３１】
例えば、糖ペプチドが、硫酸化糖鎖やリン酸化糖鎖を含んでいると、プロトンが解離することで硫酸イオンやリン酸イオンを生じやすく、その部分がＭＳ２分析において優先的に開裂するために、糖鎖構造を反映したフラグメントが生成し難くなる傾向がある。そのため、糖ペプチドは、糖鎖部分に酸性官能基を有していないか、あるいはカルボキシ基以外の酸性官能基を有していないことが好ましい。ここでの「酸性」とは狭義の酸性であり、カルボキシ基以外の酸性官能基としては、（亜）リン酸基、（亜）硫酸基、（亜）硝酸基が含まれる。単なる水酸基は、酸性官能基には含まれない。
【００３２】
硫酸化糖鎖やリン酸化糖鎖等を含む糖タンパク質あるいは糖ペプチドを分析する場合、これらの酸性官能基を、適宜の方法により除去または修飾した上で、質量分析に供することが好ましい。カルボキシ基以外の酸性官能基の除去操作には、プロテアーゼ消化等により、硫酸化糖鎖やリン酸化糖鎖が付加したペプチド部分を除去し、他の糖鎖（例えばシアル酸含有糖鎖）が付加した糖ペプチド部分を分析対象とすることも含まれる。
【００３３】
＜カルボキシ基の除去または修飾＞
質量分析に供するための糖ペプチド試料の調製では、ペプチド鎖および糖鎖に含まれる全てのカルボキシ基が除去または修飾される。これにより、カルボキシ基を含まない修飾糖ペプチドが得られる。ペプチド鎖に含まれるカルボキシ基とは、ペプチドのＣ末端および酸性アミノ酸残基（アスパラギン酸およびグルタミン酸）のカルボキシ基である。糖鎖に含まれるカルボキシ基とは、シアル酸やムラミン酸等の酸性糖に含まれるカルボキシ基である。
【００３４】
カルボキシ基の除去としては、例えば、カルボン酸の脱炭酸のように、α炭素とカルボキシ基のＣ−Ｃ結合を切断する処理や、分子内あるいは分子間のアミノ基との脱水縮合により、アミド結合を形成する処理が挙げられる。カルボキシ基の修飾としては、ハロゲン化、酸無水物化、エステル化、アミド化等が挙げられる。反応の容易性および確実性の観点からは、カルボン酸の修飾が好適である。中でも修飾後の官能基の安定性や副反応の少なさを考慮すると、エステル化およびアミド化が好ましく、アミド化が特に好ましい。
【００３５】
カルボキシ基の除去および修飾は、脱水縮合剤の存在下で行われる。脱水縮合剤は特に限定されないが、反応性が高く、かつ副反応が少ないものが好ましく、例えば、ペプチド合成のカップリング試薬として用いられるものが好適に採用される。
【００３６】
脱水縮合剤の具体例としては、（ベンゾトリアゾール‐１‐イルオキシ）トリス‐（ジメチルアミノ）ホスホニウム（ＢＯＰ）、ベンゾトリアゾール‐１‐イルオキシトリス（ピロリジノ）ホスホニウムヘキサフルオロフォスフェイト（ＰｙＢＯＰ）、ブロモトリス（ピロリジノ）ホスホニウムヘキサフルオロフォスフェイト（ＰｙＢｒｏＰ）、（７‐アザベンゾトリアゾール‐１‐イルオキシ）トリス（ピロリジノ）ホスホニウムヘキサフルオロフォスフェイト（ＰｙＡＯＰ）、クロロ‐トリス‐ピロリジノホスホニウムヘキサフルオロフォスフェイト（ＰｙＣｌｏＰ）等のホニウム塩が挙げられる。これらは、「ＢＯＰ試薬」と総称されるものであり、立体障害が大きい部位に存在するカルボキシ基に対しても、高い反応効率をもたらすことができる。そのため、α２‐３結合で結合したシアル酸のカルボキシ基のように、一般には修飾が困難であるカルボキシ基に対しても、１００％に近い収率でアミド化等の修飾を行うことができる。
【００３７】
上記の他に、（１‐シアノ‐２‐エトキシ‐２‐オキソエチリデンアミノオキシ）ジメチルアミノ‐モルホリノ‐カルベニウムヘキサフルオロリン酸塩（ＣＯＭＵ）等のホスホニウム塩も脱水縮合剤として用いることができる。その他の脱水縮合剤の例としては、Ｎ，Ｎ’‐ジシクロへキシルカルボジイミド（ＤＣＣ）、Ｎ‐（３‐ジメチルアミノプロピル）‐Ｎ’‐エチルカルボジイミド（ＥＤＣ）、Ｎ，Ｎ’‐ジイソプロピルカルボジイミド（ＤＩＣ）、１‐ｔｅｒｔ‐ブチル‐３‐エチルカルボジイミド（ＢＥＣ）、Ｎ，Ｎ’‐ジ‐ｔｅｒｔ‐ブチルカルボジイミド、１，３‐ジ‐ｐ‐トルイルカルボジイミド、ビス（２，６‐ジイソプロピルフェニル）カルボジイミド、ビス（トリメチルシリル）カルボジイミド、１，３‐ビス（２，２‐ジメチル‐１，３‐ジオキソラン‐４‐イルメチル）カルボジイミド（ＢＤＤＣ）等のカルボジイミド類や、これらの塩酸塩；２‐（１Ｈ‐ベンゾトリアゾール‐１‐イル）‐１，１，３，３ヘキサフルオロフォスフェイト（ＨＢＴＵ）、２‐（７‐アザベンゾトリアゾール‐１‐イル）‐１，１，３，３ヘキサフルオロフォスフェイト（ＨＡＴＵ）、２‐（１Ｈ‐ベンゾトリアゾール‐１‐イル）‐１，１，３，３‐テトラメチルウロニウムテトラフルオロボレイト（ＴＢＴＵ）、２‐（５‐ノルボルネン‐２，３‐ジカルボキシイミド）‐１，１，３，３‐テトラメチルウロニウムテトラフルオロボレイト（ＴＮＴＵ）、Ｏ‐（Ｎ‐スクシミジル）‐１，１，３，３‐テトラメチルウロニウムテトラフルオロボレイト（ＴＳＴＵ）等のテトラメチルウロニウム塩類；ならびに４‐（４，６‐ジメトキシ‐１，３，５‐トリアジン‐２‐イル）‐４‐メチルモルフォリニウム（ＤＭＴ‐ＭＭ）等のトリアジン系縮合剤が挙げられる。
【００３８】
脱水縮合剤が存在すれば、ペプチドのＮ末端のアミノ基や、塩基性アミノ酸残基（リシンおよびアルギニン）のアミノ基とカルボキシ基とが分子内脱水縮合を生じるため、カルボキシ基の除去が可能である。一方、カルボキシ基の除去をより迅速に行い、かつ分子間脱水縮合等の副反応を抑制する観点から、脱水縮合剤と求核剤の存在下で、カルボキシ基の修飾が行われることが好ましい。
【００３９】
糖ペプチドのカルボキシ基をアミド化するための求核剤としては、アンモニウム、メチルアミン等の１級アミン類、ジメチルアミン等の２級アミン類、トリエチルアミン等の３級アミン類あるいはこれらのハロゲン化塩等が好適に用いられる。その他、アセトヒドラジド等のヒドラジド基を有する求核剤によって、カルボキシ基をヒドラジド修飾することもできる。
【００４０】
上記求核剤の中でも反応性の高さおよび副反応の少なさから、メチルアミン塩酸塩が好適に用いられる。求核剤としてメチルアミン塩酸塩が用いられる場合、縮合剤としてＰｙＡＯＰを用いると、シアル酸のカルボキシ基も容易にアミド化されるため、特に好ましい。
【００４１】
カルボキシ基が除去または修飾された後の糖ペプチド試料は、必要に応じて、精製、脱塩、可溶化、濃縮、乾燥等の処理が行われても良い。これらの処理は、公知の方法を利用して行うことができる。特に、質量分析において、インソース型のイオン開裂法（詳細は後述）を適用する場合は、ＭＳ１スペクトルの時点でフラグメントが検出されるため、フラグメントがどのプリカーサに由来するかの判別が困難となる傾向がある。そのため、複数の糖ペプチドが含まれる試料や、他のペプチドとの混合物等の複雑な試料の分析を行う場合は、質量分析に供する前に、液体クロマトグラフ（liquid chromatography: LC）や、固相抽出（solid-phase extraction: SPE）等により、糖ペプチドを分離・濃縮することが好ましい。
【００４２】
ＬＣにより試料の分離を行う場合、質量分析の前段としてＬＣを備えるＬＣ／ＭＳを用い、ＬＣからの溶出液を直接イオン化しイオン開裂に供しても良い。また、ＬＣからの溶出液を一度分取してから、質量分析に供してもよい。ＬＣのカラムやＳＰＥの担体は特に限定されず、ペプチドの分析に一般的に用いられるＣ３０，Ｃ１８，Ｃ８，Ｃ４等の疎水カラムや、親水性アフィニティークロマトグラフィー用の担体等を適宜に選択して用いることができる。また、糖ペプチドの異性体を分離する目的で、カーボンカラムやカーボン担体が用いられてもよい。
【００４３】
本発明の分析方法では、糖ペプチドの全てのカルボキシ基を除去または修飾することにより、以下の利点が得られる。まず、カルボキシ基が除去または修飾されることにより、ＭＡＬＤＩ等による一次イオン生成の際に、ナトリウムイオン付加等の副反応が抑制される（図１Ｂ参照）。そのため、ＭＳｎ分析の対象となるプリカーサイオンの生成量が増大し、分析精度が高められる。また、ペプチド鎖のＣ末端や、酸性アミノ酸残基部分での優先的な開裂が抑止される。そのため、糖鎖部分でのイオン化が相対的に生じ易くなり、ＭＳ２分析において、糖鎖部分由来のフラグメントの生成量が増大する。これに伴って、ＭＳ２分析により観測可能な糖鎖部分由来フラグメントの種類が増大し、糖鎖構造に関するより詳細な情報が得られる。
【００４４】
特に、負イオンＭＳ２分析では、非還元末端を含むフラグメント（Ａイオン，Ｂイオン，Ｃイオン等）の生成量が増大するとともに、従来観測されなかったフラグメントも観測されるようになる。そのため、より詳細な糖鎖の構造解析が可能となる。また、糖鎖が分枝構造を有している場合、後の実施例で示すように、負イオンＭＳｎ分析において、分枝部分から６−アンテナ側非還元末端の糖鎖構造に由来する「Ｄイオン」と呼ばれるフラグメントが得られる場合がある（例えば、図２（ｂ）、図９（ｂ）、および図１０（ｂ）参照）。また、３−アンテナ側の構造を反映する「Ｅイオン」というフラグメントが得られる場合もある。このＤイオンおよびＥイオンの質量電荷比（ｍ／ｚ）と、正イオンＭＳｎによる解析結果等を総合することにより、分枝を有する糖鎖の構造決定が可能となる。
【００４５】
糖鎖がシアル酸を有している場合、シアル酸のカルボキシ基も除去または修飾されることにより、一次イオン生成の際のシアル酸の脱離が抑止され（図８Ｂ参照）、シアル酸が付加した一次イオンの生成量が増大する。そのため、シアル酸が付加した糖ペプチドの一次イオンをプリカーサイオンとする、ＭＳｎ分析の精度が向上する。
【００４６】
また、従来技術においては、正イオンＭＳ２分析で、脱離したシアル酸のフラグメント以外はほとんど観測されず、シアル酸の数や付加位置を特定することは困難であった。これに対して、ペプチド鎖およびシアル酸の全てのカルボキシ基を除去または修飾することにより、シアル酸以外の糖鎖構造を反映するフラグメントが観測されやすくなる。さらに、糖鎖が複数のシアル酸を有している場合、一部のシアル酸が脱離し、残部のシアル酸が脱離していない糖ペプチドのフラグメントイオンも観測される。そのため、シアル酸の数や付加位置等の特定が可能となる。
【００４７】
また、負イオンＭＳ２分析においても、シアル酸が付加した状態の糖鎖フラグメンの生成量が増大する。さらに、観測される糖鎖フラグメントの種類が増大し、シアル酸が付加したＤイオンも観測される場合がある。そのため、糖鎖の分枝構造とシアル酸の数および付加位置の両方を解析することが可能となる。
【００４８】
［質量分析］
上記調製後の試料は、ＭＳの２乗以上の多段階質量分析に供される。質量分析のイオン化法としては、マトリックス支援レーザー脱離イオン化（ＭＡＬＤＩ）法、エレクトロスプレーイオン化（ＥＳＩ）やナノエレクトロスプレーイオン化（ｎａｎｏ−ＥＳＩ）法等が挙げられる。特に、ＭＡＬＤＩ法が好適である。
【００４９】
多段階質量分析におけるイオン開裂法は、ポストソース型とインソース型に分類される。ポストソース型のイオン開裂法としては、ポストソース分解(Post Source Decay; PSD)、衝突誘起解離(Collision Induced Dissociation; CID)、赤外多光子解離(infrared multiphoton  dissociation; IRMPD)、表面誘起解離(surface-induced  dissociation; SID)、および光誘起解離(photo-induced  dissociation; PID)等が挙げられる。また、電子捕獲解離(electron-capture  dissociation; ECD)、電子移動解離(electron-transfer  dissociation; ETD)、電子脱離解離(electron-detachment  dissociation; EDD)およびそれらに準じる奇数電子誘発型の解離技術が用いられても良い。
【００５０】
ＣＩＤ、ＩＲＭＰＤ、ＰＩＤおよび上記の奇数電子誘発型の解離を実施可能な質量分析装置としては、衝突室、又は衝突室の機能を持つ四重極もしくはイオントラップを有する質量分析装置が挙げられる。具体的には、イオントラップ型質量分析計、二重収束型質量分析計、三連四重極型質量分析計、四重極飛行時間型質量分析計、四重極−イオントラップ型質量分析計、四重極−フーリエ変換型質量分析計、四重極−オービトラップ型質量分析計、イオントラップ−飛行時間型質量分析計、飛行時間型−飛行時間型質量分析計等が挙げられる。ＰＳＤを実施可能な質量分析装置としては、具体的には飛行時間型質量分析計が挙げられる。
【００５１】
インソース開裂（in-source dissociation; ISD）としては、イオン化の際に用いるイオン化補助物質（例えばＭＡＬＤＩ法の際のマトリックス等）との相互作用に基づいて開裂させる方法、イオン化の際に用いるレーザーや電圧の付加を高めることによって開裂を誘発する方法、イオン化直後にイオン化室内で残存ガスとの衝突により開裂を誘発する方法等が挙げられる。ＩＳＤではイオン化の際に１段階でフラグメントイオンが生じる。そのため、ＩＳＤを利用した分析技術は、ＭＳ１で生じたイオンをプリカーサとして選択してＭＳ２以降で開裂を生じさせる多段階質量分析技術とは厳密な意味では異なる。しかし、対象試料の分解物を生成させる点で、ＩＳＤはイオン開裂法と等価であるため、本発明においてはＩＳＤで生じたフラグメントのＭＳ１分析も、「ＭＳの２乗の多段階質量分析」に含まれるものとみなす。
【００５２】
ＩＳＤを実施する場合、上記の衝突室または衝突室の機能を有する質量分析装置に加えて、四重極型、飛行時間型質量分析計、磁場型質量分析計等のように衝突室の機能を持たない質量分析計を用いても良い。
【００５３】
ＩＳＤにより生じたフラグメントイオンをプリカーサとしてさらにイオン開裂を生じさせ、多段階質量分析（ＭＳｎ、ｎは２以上の整数）を行うことで、より詳細な構造解析を行うことも出来る。この場合、インソース型とポストソース型を組み合わせても良い。ＩＳＤによって生じたフラグメントイオンをプリカーサとしてさらにイオン開裂を行う場合、ＩＳＤによるＭＳ１の時点で、一般的なＭＳ２と等価のフラグメントが得られていると解釈できる。そのため、この方法は、擬似多段階質量分析（Ｐｓｅｕｄｏ−ＭＳｎ、ｎは３以上の整数）とも呼ぶことが出来る。
【００５４】
本発明において、多段階質量分析測定は、正イオンモード、負イオンモードのいずれでもよい。正イオンモードのＭＳｎ分析は、糖鎖のシーケンスの特定に適している。また負イオンモードのＭＳｎ分析は、分枝構造や、シアル酸付加位置の特定に適している。一般に、負イオンモードは、正イオンモードに比してイオン化が生じ難いため、脱プロトン化によって負イオンを生じ易いカルボキシ基等の酸性官能基部分でイオン化させることが行われている。これに対して、本発明は、負イオン化を生じ易いカルボキシ基を敢えてブロックすることにより、他の糖鎖部分でのイオン化を生じさせ、従来は観測が困難であった糖鎖構造を反映するフラグメントを観測可能としたものである。
【００５５】
負イオンモードにおいては、イオン化を促進するためにアニオン付加によるイオン化を採用してもよい。例えば、一次イオンとして、糖ペプチド（Ｍ）にリン酸イオン（Ｈ２ＰＯ４−）が付加した［Ｍ＋Ｈ２ＰＯ３］−イオンや、当該リン酸付加イオンが脱水した［Ｍ＋ＰＯ３］−イオンを生じさせ、これをプリカーサイオンとして負イオンＭＳ２分析が行われてもよい。
【００５６】
正イオンＭＳ２分析では、ペプチド鎖から糖鎖が脱離したペプチドフラグメント（例えば、［Ｐｅｐｔｉｄｅ＋Ｈ］＋イオン）が得られる。このペプチドフラグメントをプリカーサとして、さらにＭＳｎ分析（ｎは３以上の整数）に供することにより、ペプチドのアミノ酸配列を同定することもできる。ペプチド鎖のアミノ酸配列を同定することにより、糖鎖がどの糖タンパク質のどの糖ペプチド由来であるかを確認できる。
【００５７】
これらの多段階質量分析により得られたデータから、糖鎖の構造解析が行われる。例えば、正イオンＭＳ２スペクトルと負イオンＭＳ２スペクトルを総合して、糖鎖のシーケンスや分枝構造、シアル酸の付加位置等が特定され得る。また、シアル酸を除去した糖ペプチドをプリカーサイオンとしたＭＳ２スペクトルと、シアル酸を除去せずそのカルボン酸を除去または修飾した糖ペプチドをプリカーサとしたＭＳ２スペクトルを総合して、糖鎖の構造解析が行われてもよい。糖鎖の構造解析は、スペクトルデータを用いたデータベース検索によりおこなうこともできる。
【実施例】
【００５８】
以下に、実施例を示して、本発明を具体的に説明するが、本発明は下記の実施例に限定されるものではない。なお、以下において、％の記載は特に断りがない限り重量％を表す。
【００５９】
［糖ペプチドの調製］
（シアリルグリコペプチド）
シアリルグリコペプチド（ＳＧＰ）は、東京化成工業より購入したものをそのまま用いた。また、ＳＰＧを０．８％トリフルオロ酢酸（ＴＦＡ）水溶液に溶解し、８０℃で４５分間処理して、糖鎖のＮ‐アセチルノイラミン酸を完全に除去することにより、脱シアル酸シアリルグリコペプチド（ｄＳＧＰ）を得た。
【００６０】
（トランスフェリン由来糖ペプチド）
ＳＩＧＭＡより購入したＴｒａｎｓｆｅｒｒｉｎを、尿素：６Ｍ、重炭酸アンモニウム：５０ｍＭ、およびトリス(２‐カルボキシエチル)ホスフィン塩酸塩（ＴＣＥＰ）：５ｍＭの存在下、室温で４５分反応させ、変性および還元を行った。次いで、ヨードアセトアミド（ＩＡＡ）：１０ｍＭの存在下、室温遮光条件下で４５分反応させアルキル化を行った後、ジチオスレイトール（ＤＴＴ）：１０ｍＭ存在下、室温遮光条件下で４５反応させ、余剰のＩＡＡを不活性化した。その後、トリプシンを加え、３７℃で一夜反応させ、プロテアーゼ消化を行った。消化後、カーボンカラムを用いて脱塩を行った。
【００６１】
得られた試料を二分割し、そのうち一方を０．８％ＴＦＡ存在下、８０℃で４５分間処理して、糖鎖のＮ‐アセチルノイラミン酸を完全に除去して、脱シアル酸ペプチドを得た。
【００６２】
［実施例１］メチルアミド化ｄＳＧＰの質量分析
（セルロースマイクロチップの作製＞
２００μＬのマイクロピペットチップの先端に、少量のコットンを詰め、その上に１ｍｇのセルロースパウダーを加えた。得られたセルロースマイクロチップに上から水１００μＬを加え、上方からシリンジで空気を送り、下方（チップ先端）から排出した。これを２回繰り返した。さらに５０％アセトニトリル（ＡＣＮ）、０．１％ＴＦＡ水溶液１００μＬで２回、８０％ＡＣＮ、０．１％ＴＦＡ水溶液で２回、同様の操作を行い、セルロースマイクロチップの洗浄および平衡化を行った。
【００６３】
（ｄＳＧＰのメチルアミド化）
４０ｐｍｏｌのｄＳＧＰをマイクロチューブ内に乾固し、そこに１Ｍのメチルアミン塩酸塩および０．５Ｍのメチルモルフォリンを含むＤＭＳＯ溶液１０μＬを加えて、ｄＳＧＰを溶解させた。次に、１００ｍＭの（７‐アザベンゾトリアゾール‐１‐イルオキシ）トリス（ピロリジノ）ホスホニウムヘキサフルオロフォスフェイト（ＰｙＡＯＰ）を含むＤＭＳＯ溶液１０μＬを加えて混合し、室温で１時間反応させた。
【００６４】
（測定用試料の調製）
反応終了後の試料に、１００μＬのＡＣＮを加えて溶解させ、これを洗浄・平衡化したセルロースマイクロチップに加え、上から空気を送り下から排出した。排出した溶液を再度セルロースマイクロチップに加えて同様に排出し、これをさらにもう一回繰り返した。次に、セルロースマイクロチップに、８０％ＡＣＮ，０．１％ＴＦＡ水溶液を１００μＬ加え、下から排出して洗浄した。これを３回繰り返した。最後に、５０％ＡＣＮ，０．１％ＴＦＡ水溶液を２０μＬ加えて、セルロースマイクロチップからｄＳＧＰを溶出した。これを２回繰り返し、これらの溶出液をあわせて乾固した。
【００６５】
（質量分析）
得られた試料を水に再溶解し、ＭＡＬＤＩプレート上でｐ−クマル酸と１，１，３，３−テトラメチルグアニジンからなる液体マトリクス（Ｇ３ＣＡ）と混合し、ＭＡＬＤＩ‐ＭＳ分析装置（島津製作所製、ＡＸＩＭＡ（登録商標）‐Ｒｅｓｏｎａｎｃｅ）により質量分析を行った。
【００６６】
［比較例１］
ｄＳＧＰのメチルアミド化を行わず、ｄＳＧＰを水に溶解したものを試料として、上記実施例１と同様にして質量分析に供した。
【００６７】
［実施例１と比較例１の対比］
（ＭＳ１の対比）
図１Ａは比較例１（メチルアミド化なし）のｄＳＧＰの正イオンＭＳ１スペクトルであり、図１Ｂは実施例１（メチルアミド化後）のｄＳＧＰの正イオンＭＳ１スペクトルである。比較例１では、プロトンが付加した一次イオンのｍ／ｚが２２８３であるのに対して、実施例１では一次イオンのｍ／ｚが２２９６に増加している。その差１３は、−ＮＨＣＨ３基とＯＨ基との質量差に等しい。また、実施例１では、ｍ／ｚ＝２２８３のピークがほとんど観測されなかったことから、ペプチド鎖のＣ末端（Ｌｙｓ残基）のカルボキシ基がほぼ完全にメチルアミド化されていることがわかる。
【００６８】
さらに、実施例１では、比較例１に比して、Ｎａ＋イオンが２個付加した一次イオンの生成量が減少しており、ｍ／ｚ＝２２９６の一次イオンの生成量が増加していることがわかる。すなわち、実施例１では、カルボキシ基のメチルアミド化によって、ＭＡＬＤＩによるイオン化の際のナトリウム付加が抑制され、ＭＳ２分析に供する一次イオン（プリカーサイオン）の生成量が増大するために、分析精度を向上し得ることがわかる。
【００６９】
（正イオンＭＳ２の対比）
図２（ａ）は、実施例１（メチルアミド化後）のｄＳＧＰの正イオンＭＳ２スペクトルであり、図３（ａ）は、比較例１（メチルアミド化なし）のｄＳＧＰの正イオンＭＳ２スペクトルである。図２（ａ）の各フラグメントは、図３（ａ）の各フラグメントに比して、ｍ／ｚが１３増加していることから、実施例１では、ペプチド鎖のカルボキシ基がメチルアミド化されたフラグメントが観測されていることがわかる。実施例１で得られたｍ／ｚ＝６７３．５のフラグメントをさらにＭＳ３分析に供したところ、ペプチドが、アミノ酸配列：ＫＶＡＮＫＴを有していることが確認された（データ不図示）。
【００７０】
（負イオンＭＳ２の対比）
図２（ｂ）は、実施例１（メチルアミド化後）のｄＳＧＰの負イオンＭＳ２スペクトルであり、図３（ｂ）は、比較例１（メチルアミド化なし）のｄＳＧＰの負イオンＭＳ２スペクトルである。図３（ｂ）では、ペプチド鎖部分由来のフラグメントである０，２Ｘイオンの生成量が多く、糖鎖構造を反映するフラグメントとして観測されたのは、２，４ＡＲイオン、および２，４ＡＲ−１イオン（Ｒ＝６）の２種のみであった。一方、図２（ｂ）では、０，２Ｘイオンは観測されず、２，４ＡＲイオン、および２，４ＡＲ−１イオンの生成量が増大している。また、図２（ｂ）では、２，４ＡＲ、２，４ＡＲ−１に加えて、糖鎖部分に由来するフラグメントとして０，２ＡＲ−１、０，３Ａ４、Ｂ５、Ｃ４、Ｃ３、およびＤイオンが観測された。
【００７１】
このＤイオンは、Ｇａｌ‐ＧｌｃＮＡｃ‐Ｍａｎ‐Ｍａｎに相当する質量電荷比ｍ／ｚ＝６８８を有しており、糖鎖の分枝構造を反映するフラグメントである。このＤイオンのｍ／ｚの値と、図２（ａ）の正イオンＭＳ２スペクトルから得られる分枝部分の糖鎖のシーケンス情報に基づいて、分枝を有する糖鎖の構造の特定が可能となる。
【００７２】
以上、実施例１と比較例１との対比から、糖ペプチドのカルボキシ基を脱水縮合剤の存在下でメチルアミド化することにより、プリカーサイオンとなる一次イオンの生成量が増大して分析精度が向上する。さらに、負イオンＭＳ２において観測される糖鎖部分由来のフラグメントが増大するため、糖鎖構造に関するより詳細な情報が得られることが分かる。特に、カルボキシ基を修飾することで、分枝構造を反映するフラグメントであるＤイオンが観測されることから、本発明の方法は、分枝構造を有する糖鎖の構造解析に適していることがわかる。
【００７３】
（他の求核試薬を用いた例）
実施例１において、メチルアミン塩酸塩に代えて塩化アンモニウムを用い、カルボキシ基をアミド化して、同様の測定を行った。正イオン測定においてプリカーサイオンのｍ／ｚは２２８２、負イオン測定においてプリカーサイオンのｍ／ｚが２２８０であった。負イオンＭＳ２測定では、実施例１と同様に、Ｄイオンを含む糖鎖構造を反映する多数のフラグメントが観測された（データ不図示）。
【００７４】
また、メチルアミン塩酸塩に代えてジメチルアミン塩酸塩を用いてカルボキシ基をジメチルアミド化した場合も、実施例１と同様に、負イオンＭＳ２測定において、Ｄイオンを含む糖鎖構造を反映する多数のフラグメントが観測された（データ不図示）。ジメチルアミド化の場合、正イオン測定におけるプリカーサイオンのｍ／ｚは２３１０、負イオン測定においてプリカーサイオンのｍ／ｚは２３０８であった。
【００７５】
これらの結果から、求核試薬の種類に関係なく、カルボキシ基が修飾されることにより、プリカーサイオン量の増大、および負イオン測定における糖鎖部分由来フラグメント種増大の効果が得られ、糖ペプチドの糖鎖構造に関するより詳細な情報が得られることが分かる。
【００７６】
［実施例２］
＜脱水縮合剤としてＤＭＴ‐ＭＭを用いた例＞
４０ｐｍｏｌのｄＳＧＰをマイクロチューブ内に乾固し、そこに１Ｍのメチルアミン塩酸塩水溶液を２０μＬ加え溶解させた。次いで１Ｍの塩化４‐（４，６‐ジメトキシ‐１，３，５‐トリアジン‐２‐イル）‐４‐メチルモルホリニウム（ＤＭＴ‐ＭＭ）水溶液を加えて攪拌し、５０℃で１６時間反応させた。反応終了後の試料に、ＡＣＮおよびＴＦＡを、８０％ＡＣＮ、０．１％ＴＦＡとなるように加え、実施例１と同様に、セルロースマイクロチップを用いて精製および脱塩を行った後、質量分析を行った。分析結果を図４に示す。
【００７７】
図４（ａ）は、正イオンＭＳ１スペクトルである。図１Ｂと同様に、ペプチドのＣ末端がメチルアミド化されたｍ／ｚ＝２２９６のイオンが観測された。その他に、ｍ／ｚ＝２２７８ｍ／ｚ＝２２６５、およびｍ／ｚ＝２２４７にピークが観測された。これらのイオンをプリカーサとして正イオンＭＳｎ分析をおこなったところ、ペプチドのＣ末端とＮ末端が脱水縮合した環状ペプチドであり、ｍ／ｚ＝２２７８のイオンはメチルアミド化体からさらに１分子の水が脱離したペプチド、ｍ／ｚ＝２２６５のイオンはメチルアミド化を生じずに分子内脱水のみが生じた環状ペプチドに由来するイオンであることがわかった。また、ｍ／ｚ＝２２４７のイオンは、分子内脱水のみが生じた環状ペプチドからさらに１分子の水が脱離したものに由来するイオンであることがわかった。本例においては、メチルアミンに加えて、ペプチドのＮ末端またはリジン残基側鎖のアミノ基が求核剤として作用して、分子内脱水縮合が生じたと考えられる。この結果から、ＤＭＴ−ＭＭ等の脱水剤を用いた場合は、ペプチドの分子内脱水によるアミド化が生じ得るため、求核剤を用いることなくカルボキシ基の除去が可能であることがわかる。
【００７８】
図４（ｂ）は、メチルアミド化された糖ペプチドの負イオン（ｍ／ｚ＝２２９４）をプリカーサイオンとして測定したＭＳ２スペクトルであり、図４（ｃ）は、メチルアミド化されていない環状ペプチドの負イオン（ｍ／ｚ＝２２６３）をプリカーサイオンとして測定したＭＳ２スペクトルである。図４（ｂ）、図４（ｃ）のいずれにおいても、図３（ｂ）と同様に、Ｄイオンを含む糖鎖構造を反映する多数のフラグメントが観測された。また、メチルアミド化に加えて分子内脱水が生じたペプチドの負イオン（ｍ／ｚ＝２２７６）およびメチルアミド化されず分子内で２分子の水が脱水したペプチドの負イオン（ｍ／ｚ＝２２４５）をプリカーサイオンとして測定したＭＳ２スペクトルにおいても、図４（ｂ）、図４（ｃ）と同様に、Ｄイオンを含む多数の糖鎖由来フラグメントが観測された（データ不図示）。
【００７９】
また、求核試薬として、メチルアミン塩酸塩に代えて、塩化アンモニウムを用いた場合、およびジメチルアミン塩酸塩を用いた場合も、図４（ａ）〜（ｃ）に示すのと同様のＭＳスペクトルが得られた（データ不図示）。
【００８０】
［実施例３］
＜脱水縮合剤としてＥＤＣを用いた例＞
４０ｐｍｏｌのｄＳＧＰをマイクロチューブ内に乾固し、そこに１Ｍのアセトヒドラジド水溶液（ｐＨ２．５）を５０μＬ加え溶解させた。次いで４ＭのＮ‐（３‐ジメチルアミノプロピル）‐Ｎ’‐エチルカルボジイミド（ＥＤＣ）水溶液を加えて攪拌し、室温で１時間反応させた。その後、再度ＥＤＣ水溶液を加えて１時間反応させることを３回繰り返し、合計４時間反応させた。反応終了後の試料に、ＡＣＮおよびＴＦＡを、８０％ＡＣＮ、０．１％ＴＦＡとなるように加え、実施例１と同様に、セルロースマイクロチップを用いて精製および脱塩を行った後、質量分析を行った。分析結果を図５に示す。
【００８１】
図５（ａ）は、正イオンＭＳ１スペクトルである。修飾前よりもｍ／ｚが５６大きいｍ／ｚ＝２３３９の一次イオンが得られており、ペプチド鎖のＣ末端のカルボキシ基がアセトヒドラジド化されていることがわかる。
【００８２】
図５（ｂ）は、カルボキシ基がアセトヒドラジド化された糖ペプチドの負イオン（ｍ／ｚ＝２３３７）をプリカーサイオンとして測定したＭＳ２スペクトルである。図２（ｂ）と同様に、Ｄイオンを含む糖鎖構造を反映する多数のフラグメントが観測された。
【００８３】
［実施例１〜３の対比］
上記実施例１〜３によれば、脱水縮合剤や求核剤の種類に関わらず、糖ペプチドのカルボキシ基を修飾することによって、ＭＡＬＤＩによるイオン化の際の副反応が抑制され、ＭＳ２分析の対象となるプリカーサイオンの生成量が増大することが分かる。これは、ＭＡＬＤＩによるイオン化の際にナトリウム付加が生じやすいカルボキシ基が修飾されたことに起因すると考えられる。また、負イオンのＭＳ２スペクトルでは、ペプチド鎖部分に由来するＸイオンの量が減少し、糖鎖部分由来のフラグメントイオンの種類および量が増大している。これは、負イオン化されやすいカルボキシ基が修飾されたことによって、糖鎖部分でのイオン化が相対的に生じやすくなったことに関連していると推定される。その結果として、従来は観測が困難であったＤイオンを含む糖鎖部分由来フラグメントが観測されるようになり、糖鎖構造に関するより詳細な情報が得られるようになった。
【００８４】
中でも、脱水縮合剤としてＢＯＰ試薬の一種であるＰｙＡＯＰを用いた実施例１では、ペプチド鎖部分での副反応がほとんどなく、カルボキシ基のアミド化率が１００％に近いため、ＭＳ２分析に供されるプリカーサイオンの量が増大する。さらに、ＭＳ２分析において、ペプチド部分のフラグメントイオン（０．２Ｘイオン）がほとんど生成しておらず、糖鎖部分のフラグメントのシグナル強度が増大するとの結果が得られた。そのため、ＰｙＡＯＰ等のＢＯＰ試薬の存在下でのカルボキシ基のアミド化は、実用性に優れており、特に好ましい実施形態であるといえる。
【００８５】
［実施例４］
実施例４では、ｄＳＧＰに代えて、脱シアル酸処理したトランスフェリンのトリプシン消化糖ペプチド用い、実施例１と同様にＰｙＡＯＰとメチルアミン塩酸塩を用いて、カルボキシ基のメチルアミド化を行い、精製および脱塩を行った後、質量分析を行った。正イオンＭＳ２スペクトルを図６（ａ）、負イオンＭＳ２スペクトルを図６（ｂ）に示す。
【００８６】
［比較例２］
比較例２では、メチルアミド化を行わず、脱シアル酸処理したトランスフェリンのトリプシン消化糖ペプチドを水に溶解したものを、質量分析に供した。正イオンＭＳ２スペクトルを図７（ａ）、負イオンＭＳ２スペクトルを図７（ｂ）に示す。
【００８７】
［実施例４と比較例２の対比］
正イオンＭＳ２スペクトルにおいて、図６（ａ）の各フラグメントは、図７（ａ）の各フラグメントに比して、ｍ／ｚが２６増加しており、２個のカルボキシ基がメチルアミド化されている。すなわち、実施例４では、ペプチドのＣ末端（Ｌｙｓ残基）のカルボキシ基に加えて、Ｇｌｕ残基のカルボキシ基もほぼ完全にメチルアミド化されていることがわかる。
【００８８】
負イオンＭＳ２スペクトルにおいて、図７（ｂ）では、糖鎖構造を反映するフラグメントとして観測されたのは、２，４ＡＲイオン、および２，４ＡＲ−１イオン（Ｒ＝６）の２種のみであった。一方、図６（ｂ）では、糖鎖構造を反映するフラグメントとして、２，４ＡＲ、２，４ＡＲ−１に加えて、０，２ＡＲ−１、および２，４ＡＲ−１／Ｙ５イオンが観測されており、糖鎖構造に関するより詳細な情報が得られている。
【００８９】
［実施例５］
実施例５では、ｄＳＧＰに代えて、脱シアル酸処理されていないＳＧＰを用い、実施例１と同様にＰｙＡＯＰとメチルアミン塩酸塩を用いて、カルボキシ基のメチルアミド化を行い、精製および脱塩を行った後、質量分析を行った。正イオンＭＳ１スペクトルを図８Ａに示す。また、正イオンＭＳ２スペクトルを図９（ａ）、負イオンＭＳ２スペクトルを図９（ｂ）に示す。
【００９０】
［比較例３］
ＳＧＰのメチルアミド化を行わず、ＳＧＰを水に溶解したものを、上記実施例５と同様にして質量分析に供した。正イオンＭＳ１スペクトルを図８Ｂに示す。
【００９１】
［実施例５と比較例３の対比］
（ＭＳ１の対比）
図８Ａは比較例３（メチルアミド化なし）のＳＧＰの正イオンＭＳ１スペクトルであり、図８Ｂは実施例５（メチルアミド化後）のＳＧＰの正イオンＭＳ１スペクトルである。比較例３では、プロトンが付加した一次イオンのｍ／ｚが２８６５であるのに対して、実施例５では一次イオンのｍ／ｚが３９増加して、２９０４となっており、糖ペプチドの３個のカルボキシ基、すなわち、ペプチドのＣ末端（Ｌｙｓ残基）のカルボキシ基に加えて、２個のシアル酸のカルボキシ基の全てがほぼ完全にメチルアミド化されていることがわかる。
【００９２】
また、図８Ａでは、ナトリウムイオン付加体の生成に加えて、１個または２個のＮ‐アセチルノイラミン酸が脱離した一次イオンが生成している。一方、図８Ｂでは、ナトリウムイオン付加体の生成量が減少していることに加えて、シアル酸が脱離した一次イオンがほとんど生成していない。この結果から、ペプチド鎖のカルボキシ基およびシアル酸のカルボキシ基の全てが修飾されることにより、糖鎖部分にシアル酸が付加した糖ペプチドの一次イオンの生成量が増大するため、この一次イオンをプリカーサイオンとするＭＳ２分析の精度が向上することが分かる。
【００９３】
（正イオンＭＳ２分析）
図９（ａ）では、プリカーサイオンから１個のＮ‐アセチルノイラミン酸が脱離したｍ／ｚ＝２６０１のフラグメントイオン、および２個のＮ‐アセチルノイラミン酸が脱離したｍ／ｚ＝２２９８のフラグメントイオンに加えて、ｍ／ｚ＝２２３６のフラグメントイオンが観測されている。このことから、Ｎ‐アセチルノイラミン酸の還元末端側には、ＧａｌおよびＧｌｃＮＡＣが付加していることが確認できる。このように、本発明では、糖鎖部分にシアル酸が付加した糖ペプチドの一次イオンをプリカーサイオンとする、正イオンＭＳ２分析により、シアル酸が付加した糖ペプチドのフラグメントイオンが得られ、より詳細な糖鎖の構造解析が可能となる。
【００９４】
（負イオンＭＳ２分析）
図９（ｂ）では、０，２Ｘイオンはほとんど観測されず、２個のシアル酸のそれぞれのカルボキシ基がメチルアミド修飾された２，４ＡＲ、２，４ＡＲ−１、および０，２ＡＲ−１イオン、ならびに１個のシアル酸のカルボキシ基がメチルアミド修飾されたＢ３イオン、Ｃ４イオン、およびＤイオンが観測された。このＤイオンは、Ｎｅｕ５Ａｃ‐Ｇａｌ‐ＧｌｃＮＡｃ‐Ｍａｎ‐Ｍａｎに相当する質量電荷比ｍ／ｚ＝９９２を有しており、糖鎖の分枝構造を反映するとともに、分枝の非還元末端にシアル酸（Ｎｅｕ５Ａｃ）が付加していることを示すフラグメントである。このように、本発明によれば、負イオンＭＳ２分析よりシアル酸が付加したＤイオンが得られることから、シアル酸含有糖ペプチドの解析においては、糖鎖の分枝構造に加えて、シアル酸の付加位置やシアル酸の数の特定も可能となる。
【００９５】
［実施例６］
実施例６では、脱シアル酸処理されていないトランスフェリンのトリプシン消化糖ペプチド用い、実施例１と同様にＰｙＡＯＰとメチルアミン塩酸塩を用いて、カルボキシ基のメチルアミド化を行い、精製および脱塩を行った後、質量分析を行った。正イオンＭＳ２スペクトルを図１０（ａ）、負イオンＭＳ２スペクトルを図１０（ｂ）に示す。
【００９６】
図１０（ａ）の正イオンＭＳ２スペクトルでは、１個のＮ‐アセチルノイラミン酸とＧａｌが脱離したｍ／ｚ＝３２６７のフラグメントイオン、およびそこからさらにＧＬｃＮＡｃが脱離したｍ／ｚ＝３０６４のフラグメントイオンが観測されている。このことから、糖鎖が、非還元末端側から、Ｎｅｕ５Ａｃ‐Ｇａｌ‐ＧｌｃＮＡｃのシーケンスを有していることがわかる。
【００９７】
また、図１０（ｂ）の負イオンＭＳ２スペクトルでは、２個のシアル酸のそれぞれのカルボキシ基がメチルアミド修飾された、２，４ＡＲおよび２，４ＡＲ−１イオンが観測された。図１０（ｂ）では、非還元末端から１個のシアル酸が脱離した２，４ＡＲ／Ｙ６イオンも観測されたが、実施例５と同様に、糖鎖の分枝構造を反映し、かつ非還元末端にシアル酸（Ｎｅｕ５Ａｃ）が付加しているＤイオンが高ピーク強度で観測された。
【００９８】
以上の結果から、本発明によれば、ペプチド鎖の構造に関わらず、糖ペプチドの全てのカルボキシ基を除去または修飾することにより、多段階質量分析により、より高精度かつ詳細に糖鎖の構造解析が可能であることがわかる。
【図１Ａ】
0006048340.tif 000002
【図１Ｂ】
0006048340.tif 000003
【図２】
0006048340.tif 000004
【図３】
0006048340.tif 000005
【図４】
0006048340.tif 000006
【図５】
0006048340.tif 000007
【図６】
0006048340.tif 000008
【図７】
0006048340.tif 000009
【図８Ａ】
0006048340.tif 000010
【図８Ｂ】
0006048340.tif 000011
【図９】
0006048340.tif 000012
【図１０】
0006048340.tif 000013